(57)【特許請求の範囲】
【請求項１】
熱負荷に流体を供給する流体循環装置であって、
前記熱負荷から戻る前記流体を収容する流体収容容器と、
前記流体収容容器の供給口から供給される前記流体の温度を調整する温度調整部と、
前記流体を前記熱負荷に送るポンプと、
を含み、
前記流体収容容器内には、入口が前記流体収容容器内に開放され、出口が前記供給口に接続された曲がり流路が設けられている、流体循環装置。
【請求項２】
請求項１において、
前記曲がり流路は、少なくとも一部が螺旋状に設けられている、流体循環装置。
【請求項３】
請求項２において、
前記曲がり流路の入口は、チューブの一端で構成され、
前記チューブの一端は、円筒形の前記流体収容容器の動径方向に沿って配置されている、流体循環装置。
【請求項４】
請求項１において、
前記曲がり流路は、少なくとも一部が渦巻状に設けられている、流体循環装置。
【請求項５】
請求項２または４において、
前記曲がり流路は、樹脂または金属からなるチューブを含んで構成されている、流体循環装置。
【請求項６】
請求項４において、
前記曲がり流路は、
渦巻き状の仕切り板と、
前記仕切り板上に配置された蓋体と、
を含んで構成されている、流体循環装置。
【請求項７】
請求項１において、
前記曲がり流路は、
一端が前記流体収容容器内に開放された複数の曲がり管と、
複数の前記曲がり管の他端が接続された混合器と、
を含んで構成され、
前記混合器は、前記供給口に接続されている、流体循環装置。
【請求項８】
請求項７において、
複数の前記曲がり管は、平面視で回転対称な位置関係に配置されている、流体循環装置。
【請求項９】
請求項１ないし８のいずれか１項において、
前記流体収容容器は、円筒形である、流体循環装置。
【請求項１０】
請求項１ないし９のいずれか１項に記載の流体循環装置を含む、荷電粒子線装置。
【請求項１１】
請求項１０において、
熱負荷を含み、
前記熱負荷を通った前記流体は、前記流体収容容器を通って前記温度調整部に至る、荷
電粒子線装置。
【発明の詳細な説明】
【技術分野】
【０００１】
本発明は、流体循環装置および荷電粒子線装置に関する。
【背景技術】
【０００２】
電子顕微鏡や荷電粒子ビーム描画装置等の荷電粒子線装置では、高精度の温度管理が必要である。例えば、電子顕微鏡や荷電粒子ビーム描画装置に用いられる電子レンズは、コイルに流れる電流による発熱を伴うため冷却の必要がある。このとき、電子レンズを冷却するための冷却水の許容される温度変動範囲は、きわめて小さい。そのため、電子顕微鏡や荷電粒子線装置に用いられる冷却水循環装置には、冷却水に対して、高い温度安定度が求められる。
【０００３】
例えば、特許文献１には、循環水（冷却水）を貯める水槽と、循環水を冷却する冷凍機と、循環水を加熱する電気ヒーターと、を備え、循環水が外部機器を冷却する冷却水循環装置であって、ヒーターをＯＦＦ状態にし、冷凍機をＯＮ／ＯＦＦ制御して循環水の温度を制御する第１の運転モードと、冷凍機をＯＮ状態にし、ヒーターを用いて第１の運転モードよりも狭い温度変動幅で循環水を温度制御する第２の運転モードを備えることで、循環水の温度変動幅を適切に制御する冷却水循環装置が開示されている。
【先行技術文献】
【特許文献】
【０００４】
【特許文献１】特開２００７−４０６３１号公報
【発明の概要】
【発明が解決しようとする課題】
【０００５】
特許文献１に記載の冷却水循環装置では、例えば、電子レンズにおける発生熱量が変化した場合、水槽に戻る冷却水の温度と水槽内の冷却水の温度には、大きな差が発生する。そのため、例えば、電子レンズにおける発生熱量が急激に変化した場合などには、水槽に戻る冷却水の温度が急激に変化して、冷却水の温度安定度を悪化させる要因となる場合がある。
【０００６】
本発明のいくつかの態様に係る目的の１つは、流体の温度安定度を高めることができる流体循環装置を提供することにある。また、本発明のいくつかの態様に係る目的の１つは、上記流体循環装置を含む荷電粒子線装置を提供することにある。
【課題を解決するための手段】
【０００７】
（１）本発明に係る流体循環装置は、
熱負荷に流体を供給する流体循環装置であって、
前記熱負荷から戻る前記流体を収容する流体収容容器と、
前記流体収容容器の供給口から供給される前記流体の温度を調整する温度調整部と、
前記流体を前記熱負荷に送るポンプと、
を含み、
前記流体収容容器内には、入口が前記流体収容容器内に開放され、出口が前記供給口に接続された曲がり流路が設けられている。
【０００８】
このような流体循環装置では、流体収容容器内には、入口が流体収容容器内に開放され、出口がリザーバータンクの供給口に接続された曲がり流路が設けられているため、曲がり流路内において、流体を、乱流、せん断流れ、二次流れ等により攪拌することができ、
曲がり流路内の流体の温度を均一化することができる。さらに、流体収容容器内の流体と曲がり流路内の流体との間の熱交換によって、曲がり流路内の流体の温度をより均一化することができる。したがって、例えば、流体収容容器に戻る流体の温度が急激に変化したとしても、曲がり流路によって流体の温度を均一化して温度調整部に送ることができる。これにより、温度調整部に供給される流体の温度の急激な変化を減少させることができ、温度調整部による流体の温度制御に対する外乱要因を抑制し、流体の温度安定度を高めることができる。
【０００９】
（２）本発明に係る流体循環装置において、
前記曲がり流路は、少なくとも一部が螺旋状に設けられていてもよい。
【００１０】
このような流体循環装置では、曲がり流路の少なくとも一部が螺旋状に設けられているため、曲がり流路内において、流体を二次流れにより攪拌することができ、流体の温度を均一化することができる。
【００１１】
（３）本発明に係る流体循環装置において、
前記曲がり流路の入口は、チューブの一端で構成され、
前記チューブの一端は、円筒形の前記流体収容容器の動径方向に沿って配置されていてもよい。
【００１２】
このような流体循環装置では、曲がり流路の入口となるチューブの一端が流体収容容器の動径方向に沿って配置されているため、流体収容容器内の流体に一様な流れを作り出すことができ、流体収容容器内の流体を攪拌することができる。したがって、流体収容容器内の流体を攪拌するための攪拌機等を別途設ける必要がなく、装置の簡略化、低コスト化を図ることができる。
【００１３】
（４）本発明に係る流体循環装置において、
前記曲がり流路は、少なくとも一部が渦巻状に設けられていてもよい。
【００１４】
このような流体循環装置では、曲がり流路の少なくとも一部が渦巻状に設けられているため、曲がり流路内において、流体を二次流れにより攪拌することができ、流体の温度を均一化することができる。
【００１５】
（５）本発明に係る流体循環装置において、
前記曲がり流路は、樹脂または金属からなるチューブを含んで構成されていてもよい。
【００１６】
このような流体循環装置では、曲がり流路を簡易な構成で実現することができる。
【００１７】
（６）本発明に係る流体循環装置において、
前記曲がり流路は、
渦巻き状の仕切り板と、
前記仕切り板上に配置された蓋体と、
を含んで構成されていてもよい。
【００１８】
このような流体循環装置では、曲がり流路を簡易な構成で実現することができる。
【００１９】
（７）本発明に係る流体循環装置において、
前記曲がり流路は、
一端が前記流体収容容器内に開放された複数の曲がり管と、
複数の前記曲がり管の他端が接続された混合器と、
を含んで構成され、
前記混合器は、前記供給口に接続されていてもよい。
【００２０】
このような流体循環装置では、曲がり流路では、複数の曲がり管から吸い込んだ流体を混合器で混合して供給口から供給することができるため、例えば温度が急激に変化した流体が流体収容容器に戻ったとしても、曲がり管が１つの場合と比べて、流体収容容器の供給口から供給される流体の温度を均一化することができる。
【００２１】
（８）本発明に係る流体循環装置において、
複数の前記曲がり管は、平面視で回転対称な位置関係に配置されていてもよい。
【００２２】
このような流体循環装置では、例えば、流体収容容器内の流体に一様な流れを容易につくることができる。
【００２３】
（９）本発明に係る流体循環装置において、
前記流体収容容器は、円筒形であってもよい。
【００２４】
このような流体循環装置では、例えば、流体に流体収容容器の内壁面に沿った流れをつくることができる。
【００２５】
（１０）本発明に係る荷電粒子線装置は、
本発明に係る流体循環装置を含む。
【００２６】
このような荷電粒子線装置では、流体の温度安定度を高めることができる流体循環装置を含むため、熱負荷に安定した温度の流体を供給することができる。
【００２７】
（１１）本発明に係る荷電粒子線装置において、
熱負荷を含み、
前記熱負荷を通った前記流体は、前記流体収容容器を通って前記温度調整部に至ってもよい。
【００２８】
このような荷電粒子線装置では、熱負荷を通った流体は、流体収容容器を通って温度調整部に至るため、例えば、熱負荷における発生熱量が急激に変化して流体収容容器に戻る流体の温度が急激に変化した場合でも、上述したように曲がり流路によって流体の温度を均一化することができる。したがって、このような荷電粒子線装置では、温度調整部に供給される流体の温度を均一化することができ、温度調整部における流体の温度制御における外乱要因を抑制し、熱負荷に供給される流体の温度安定度を高めることができる。
【図面の簡単な説明】
【００２９】
【図１】第１実施形態の流体循環装置を含む荷電粒子線装置の構成を示す模式図。
【図２】第１実施形態の流体循環装置のリザーバータンクを模式的に示す平面図。
【図３】第１実施形態の流体循環装置のリザーバータンクを模式的に示す断面図。
【図４】第２実施形態の流体循環装置のリザーバータンクを模式的に示す平面図。
【図５】第２実施形態の流体循環装置のリザーバータンクを模式的に示す断面図。
【図６】第３実施形態の流体循環装置のリザーバータンクを模式的に示す断面図。
【図７】第３実施形態の流体循環装置のリザーバータンクを模式的に示す図。
【発明を実施するための形態】
【００３０】
以下、本発明の好適な実施形態について図面を用いて詳細に説明する。なお、以下に説明する実施形態は、特許請求の範囲に記載された本発明の内容を不当に限定するものでは
ない。また、以下で説明される構成の全てが本発明の必須構成要件であるとは限らない。
【００３１】
１．  第１実施形態
１．１．  流体循環装置
まず、第１実施形態に係る流体循環装置について図面を参照しながら説明する。図１は、第１実施形態に係る流体循環装置１００を含む荷電粒子線装置１０００の構成を模式的に示す図である。なお、図１に示す矢印は、循環水の流れを表している。
【００３２】
流体循環装置１００は、荷電粒子線装置１０００に組み込まれている。荷電粒子線装置１０００は、例えば、電子顕微鏡である。当該電子顕微鏡は、例えば、透過電子顕微鏡（ＴＥＭ）、走査透過電子顕微鏡（ＳＴＥＭ）、走査電子顕微鏡（ＳＥＭ）等である。流体循環装置１００は、熱負荷１０１０，１０２０を冷却するための循環水を供給する。熱負荷１０１０，１０２０は、例えば、電子顕微鏡の電子レンズや、当該電子レンズの電源、油拡散ポンプ等である。荷電粒子線装置１０００は、図示の例では、２つの熱負荷１０１０，１０２０を有しているが、熱負荷の数は１つであってもよいし、３つ以上であってもよい。
【００３３】
流体循環装置１００では、冷却水としての循環水は、送水ポンプ２０によって送水流路２から熱負荷１０１０，１０２０に送られる。熱負荷１０１０，１０２０を通り温められた循環水（リターン水）は戻水流路４を通って、リザーバータンク１０に収容される。熱負荷１０１０，１０２０から戻った循環水は、リザーバータンク１０に一時的に収容された後、送水ポンプ２０を介して熱交換器３２等からなる温度調整部３０で温度調整される（冷却される）。そして、冷却された循環水は、送水流路２から、熱負荷１０１０，１０２０に送られる。このように流体循環装置１００は、循環水を循環させて熱負荷１０１０，１０２０に循環水を供給し、熱負荷１０１０，１０２０を冷却する。
【００３４】
流体循環装置１００は、図１に示すように、送水流路２と、戻水流路４と、リザーバータンク（流体収容容器）１０と、送水ポンプ２０と、温度調整部３０と、温度センサー４０と、を含む。
【００３５】
送水流路２は、循環水を熱負荷１０１０に送るための流路である。送水流路２は、温度調整部３０で温度調整（冷却）された循環水が流れる。送水流路２は、熱負荷１０１０，１０２０に循環水を流通させるための流路１００２に接続されている。送水流路２は、温度調整部３０と流路１００２とを接続している。荷電粒子線装置１０００において、流路１００２を通って熱負荷１０１０，１０２０に供給された循環水は、流路１００４を通って流体循環装置１００に戻る。
【００３６】
戻水流路４は、熱負荷１０１０，１０２０を流通した循環水を、温度調整部３０に導くための流路である。戻水流路４は、熱負荷１０１０，１０２０を流通した循環水を、流路１００４からリザーバータンク１０、ポンプ２０を介して、温度調整部３０に導く。戻水流路４は、流路１００４と温度調整部３０とを接続している。
【００３７】
荷電粒子線装置１０００では、送水流路２、流路１００２、流路１００４、および戻水流路４によって、循環水を循環させるための循環流路が構成されている。循環流路は、循環水を、温度調整部３０と熱負荷１０１０，１０２０との間で循環させる。
【００３８】
リザーバータンク１０は、熱負荷１０１０，１０２０から戻った循環水を一時的に収容する容器である。リザーバータンク８０は、戻水流路４に設けられている。リザーバータンク１０には、熱負荷１０１０，１０２０で温められた循環水（リターン水）が導入される。リザーバータンク１０に収容された循環水は、供給口１２からポンプ２０を介して温
度調整部３０に送られる。リザーバータンク１０の構成については後述する。
【００３９】
送水ポンプ２０は、循環水を熱負荷１０１０，１０２０に送る。荷電粒子線装置１０００では、送水ポンプ２０によって、送水流路２、流路１００２、流路１００４、および戻水流路４からなる循環流路に循環水を循環させることができる。
【００４０】
温度調整部３０は、リザーバータンク１０の供給口１２（図２，３参照）から供給される循環水の温度を調整する。温度調整部３０は、熱負荷１０１０，１０２０を流通して流体循環装置１００に戻った循環水の温度を調整する。熱負荷１０１０，１０２０から戻った循環水は、リザーバータンク１０で一時的に収容された後、リザーバータンク１０の供給口１２から送水ポンプ２０を介して、温度調整部３０に送られる。温度調整部３０は熱交換器３２を含んで構成されている。熱交換器３２では、冷媒を介して循環水と熱交換を行う。これにより、循環水を冷却することができる。
【００４１】
冷媒は、冷却器３４によって循環流路３１を循環する。冷媒の流量は、電子膨張弁３３の開度を制御部（図示せず）で制御することで調整される。制御部は、温度センサー４０によって測定された循環水の温度に基づいて、熱負荷１０１０，１０２０に送られる循環水の温度が所望の温度となるように電子膨張弁３３の開度を制御する。これにより、送水流路２を流れる循環水の温度を所望の温度に調整することができる。冷却器３４は、さらに、コンプレッサーや、熱交換器等を含んで構成されていてもよい。
【００４２】
温度調整部３０は、図示はしないが、さらに、循環水を加熱するためのヒーターを含んで構成されていてもよい。この場合、前記制御部は、温度センサー４０の測定結果に基づいて、電子膨張弁３３およびヒーターの少なくとも一方を制御して、循環水の温度を調整する。
【００４３】
温度センサー４０は、送水流路２に設けられており、熱負荷１０１０，１０２０に送られる循環水の温度を測定する。温度センサー４０は、例えば、金属の電気抵抗値が温度変化によって変動することを利用したセンサーである。温度センサー４０は、測定した循環水の温度の情報を前記制御部に送る。
【００４４】
次に、リザーバータンク１０の構成について、図面を参照しながら説明する。図２はリザーバータンク１０を模式的に示す平面図である。図３は、リザーバータンク１０を模式的に示す断面図であり、図２のＩＩＩ−ＩＩＩ線断面図である。
【００４５】
リザーバータンク１０は、例えば、円筒形である。なお、リザーバータンク１０の形状は、円筒形に限定されず、例えば、角筒形であってもよい。リザーバータンク１０の下部（底部）には、供給口１２が設けられている。供給口１２は、戻水流路４に接続されており、戻水流路４を介して、送水ポンプ２０に接続されている。
【００４６】
リザーバータンク１０内には、曲がり流路５０が設けられている。曲がり流路５０は、入口がリザーバータンク１０内に開放され、出口が供給口１２に接続されている。すなわち、曲がり流路５０は、リザーバータンク１０から供給口１２までの循環水が流れる道である。曲がり流路５０は、少なくとも一部が螺旋状に設けられている。本明細書において、螺旋とは、３次元曲線の一種で、円柱面上をまわりながら軸方向に一定の速度で進んでいくときにできる曲線である。なお、軸を旋回する回数は特に限定されない。
【００４７】
曲がり流路５０は、チューブ５２で構成されている。チューブ５２は、一端（開放端）５４がリザーバータンク１０内に開放され、他端５６が供給口１２に接続されている。すなわち、チューブ５２の開放端５４が曲がり流路５０の入口となり、チューブ５２の他端
５６が曲がり流路５０の出口となる。
【００４８】
チューブ５２は、リザーバータンク１０の内壁面１４に沿って少なくとも一部が螺旋状に設けられている。なお、チューブ５２の螺旋状に設けられた部分は、例えば、リザーバータンク１０が角筒形である場合、内壁面１４に沿ってなくてもよい。
【００４９】
チューブ５２の開放端５４は、円筒形のリザーバータンク１０の動径方向Ｒに沿って配置されている。これにより、リザーバータンク１０内の循環水に、リザーバータンク１０の内壁面１４に沿った一様な流れを作り出すことができ、リザーバータンク１０内の循環水を攪拌することができる。チューブ５２の開放端５４は、平面視で円筒形のリザーバータンク１０の中心よりも内壁面１４側に配置される。チューブ５２の開放端５４は、リザーバータンク１０の内壁面１４の近傍に配置されることが望ましい。これにより、リザーバータンク１０内の循環水により強い流れを作り出すことができ、リザーバータンク１０内の循環水をより攪拌することができる。
【００５０】
チューブ５２の材質は、例えば、樹脂、金属等である。チューブ５２は、チューブ５２の外表面と内を通る循環水との間で熱交換が起こりやすい材質、厚さであることが望ましい。これにより、チューブ５２の外表面と内を通る循環水との間の熱交換によって、チューブ５２内の循環水の温度を均一化することができる。
【００５１】
チューブ５２の内径は、その中の循環水の流れが乱流領域になる大きさである。具体的には、チューブ５２の内径は、例えば、レイノルズ数が３０００以上となるような大きさに設定される。これにより、チューブ５２の中の循環水の流れを、乱流領域にすることができる。チューブ５２の長さは、例えば、数ｍ程度である。
【００５２】
次に、流体循環装置１００の動作について説明する。
【００５３】
送水ポンプ２０が作動すると、チューブ５２の開放端５４からリザーバータンク１０内の循環水が吸い込まれる。
【００５４】
チューブ５２に吸い込まれた循環水は、チューブ５２内が乱流であることにより攪拌される。また、チューブ５２内の循環水は、チューブ５２の内壁面近傍のせん断流れによっても攪拌される。さらに、チューブ５２内の循環水には、チューブ５２の曲がりによって遠心力による二次流れが発生する。これによっても、チューブ５２内の循環水は攪拌される。
【００５５】
このように、曲がり流路５０内において循環水が、乱流、せん断流れ、二次流れにより攪拌されるため、例えば、仮に温度が急激に変化した循環水がリザーバータンク１０に戻った場合に、温度が急激に変化した循環水がチューブ５２に導入されても、循環水の流れの方向に温度の均一化を進めることができる。
【００５６】
さらに、チューブ５２は、リザーバータンク１０内に配置されている。そのため、チューブ５２の外表面とチューブ５２内の循環水との間で熱交換が起こり、チューブ５２内の循環水の温度をより均一化することができる。
【００５７】
また、チューブ５２の開放端５４は、円筒形のリザーバータンク１０の動径方向Ｒに沿って配置されているため、リザーバータンク１０内の循環水にリザーバータンク１０の内壁面１４に沿った一様な流れを作り出すことができ、リザーバータンク１０内の循環水を攪拌することができる。これにより、リザーバータンク１０内の循環水の温度を均一化させることができる。
【００５８】
チューブ５２内を通過した循環水は、リザーバータンク１０の供給口１２から送水ポンプ２０を介して、温度調整部３０（熱交換器３２）に送られる。循環水は、熱交換器３２によって所望の温度に冷却される。
【００５９】
ここで、温度調整部３０に供給される循環水は、上述のように、曲がり流路５０（チューブ５２）によって温度が均一化される。そのため、温度が急激に変化した循環水が曲がり流路５０内に吸い込まれた場合でも、送水ポンプ２０を介して温度調整部３０に供給される循環水の温度を均一化することができる。
【００６０】
温度調整部３０（熱交換器３２）で所望の温度に冷却された循環水は、荷電粒子線装置１０００の熱負荷１０１０，１０２０に送られる。熱負荷１０１０，１０２０を通り温められた循環水（リターン水）はリザーバータンク１０に戻る。このように流体循環装置１００では、循環水を循環させることによって、熱負荷１０１０，１０２０を冷却している。
【００６１】
流体循環装置１００は、例えば、以下の特徴を有する。
【００６２】
流体循環装置１００では、リザーバータンク１０内には、入口がリザーバータンク１０内に開放され、出口がリザーバータンク１０の供給口１２に接続された曲がり流路５０が設けられている。そのため、曲がり流路５０内において、循環水を、乱流、せん断流れ、二次流れにより攪拌することができ、曲がり流路５０内の循環水の温度を均一化することができる。さらに、リザーバータンク１０内の循環水と曲がり流路５０内の循環水との間の熱交換によって、曲がり流路５０内の循環水の温度をより均一化することができる。したがって、熱負荷１０１０，１０２０を通ってリザーバータンク１０に戻る循環水の温度が急激に変化したとしても、曲がり流路５０によって循環水の温度を均一化して温度調整部３０に送ることができる。これにより、温度調整部３０に供給される循環水の温度の急激な変化を減少させることができ、温度調整部３０による水温制御に対する外乱要因を抑制し、循環水の温度安定度を高めることができる。
【００６３】
流体循環装置１００では、曲がり流路５０は、少なくとも一部が螺旋状に設けられている。これにより、曲がり流路５０内において、循環水を二次流れにより攪拌することができ、循環水の温度を均一化することができる。
【００６４】
流体循環装置１００では、曲がり流路５０は、樹脂または金属からなるチューブ５２を含んで構成されている。このように流体循環装置１００では、曲がり流路５０を簡易な構成で実現することができる。
【００６５】
流体循環装置１００では、チューブ５２の一端５４は、円筒形のリザーバータンク１０の動径方向Ｒに沿って配置されている。これにより、リザーバータンク１０内の循環水に一様な流れを作り出すことができ、リザーバータンク１０内の循環水を攪拌することができる。したがって、流体循環装置１００では、リザーバータンク１０内の循環水を攪拌するための攪拌機等を別途設ける必要がなく、装置の簡略化、低コスト化を図ることができる。
【００６６】
流体循環装置１００では、リザーバータンク１０は、円筒形である。そのため、例えば、曲がり流路５０によって、循環水にリザーバータンク１０の内壁面１４に沿った流れをつくることができる。
【００６７】
荷電粒子線装置１０００では、循環水の温度安定度を高めることができる流体循環装置
１００を含むため、熱負荷１０１０，１０２０に安定した温度の循環水を供給することができる。
【００６８】
また、荷電粒子線装置１０００では、熱負荷１０１０，１０２０を通った循環水は、リザーバータンク１０を通って温度調整部３０に至る。そのため、例えば、熱負荷１０１０，１０２０における発生熱量が急激に変化してリザーバータンク１０に戻る循環水の温度が急激に変化した場合でも、上述したように曲がり流路５０によって循環水の温度を均一化することができる。したがって、荷電粒子線装置１０００では、温度調整部３０（熱交換器３２）に供給される循環水の温度を均一化することができ、熱負荷１０１０，１０２０に供給される循環水の温度安定度を高めることができる。
【００６９】
２．  第２実施形態
次に、第２実施形態に係る流体循環装置について、図面を参照しながら説明する。第２実施形態に係る流体循環装置の構成を示す図は、図１に示す流体循環装置１００の構成を示す図と同様でありその図示を省略する。ただし、第２実施形態に係る流体循環装置では、曲がり流路５０の構成が、第１実施形態に係る流体循環装置１００と異なる。
【００７０】
以下、第２実施形態に係る流体循環装置において、第１実施形態に係る流体循環装置１００と異なる点について説明し、同様の点については説明を省略する。
【００７１】
図４は、第２実施形態に係る流体循環装置のリザーバータンク１０を模式的に示す平面図である。図５は、リザーバータンク１０を模式的に示す断面図であり、図４のＶ−Ｖ線断面図である。
【００７２】
曲がり流路５０は、図４に示すように、少なくとも一部が渦巻状に設けられている。本明細書において、渦巻状とは、２次元曲線の一種で、旋回するにつれ中心に近づく曲線である。なお、軸を旋回する回数は特に限定されない。曲がり流路５０は、リザーバータンク１０の内壁面１４の近傍に設けられた入口から旋回を開始し、旋回するにつれリザーバータンク１０の中心に近づく曲線状であり、当該中心に曲がり流路５０の出口が位置している。曲がり流路５０の出口は、リザーバータンク１０の供給口１２に接続されている。
【００７３】
曲がり流路５０は、吸い込み管２１０と、仕切り板２１２と、蓋体２１４と、を含んで構成されている。
【００７４】
吸い込み管２１０は、リザーバータンク１０内の循環水を、曲がり流路５０の渦巻状の部分に導くための管である。吸い込み管２１０は、吸い込み口２１６を有している。吸い込み口２１６が曲がり流路５０の入口となる。吸い込み管２１０は、蓋体２１４に接合されている。
【００７５】
吸い込み管２１０の吸い込み口２１６は、円筒形のリザーバータンク１０の動径方向に沿って配置されている。これにより、リザーバータンク１０内の循環水に一様な流れを作り出すことができ、リザーバータンク１０内の循環水を攪拌することができる。吸い込み管２１０の吸い込み口２１６は、平面視で円筒形のリザーバータンク１０の中心よりも内壁面１４側に配置されている。吸い込み管２１０の吸い込み口２１６は、リザーバータンク１０の内壁面１４の近傍に配置されることが望ましい。これにより、リザーバータンク１０内の循環水により強い流れを作り出すことができ、リザーバータンク１０内の循環水をより攪拌することができる。
【００７６】
仕切り板２１２は、渦巻状に設けられている。仕切り板２１２は、蓋体２１４に接合されている。仕切り板２１２と、蓋体２１４と、リザーバータンク１０の内底面および内壁
面１４と、によって区画された空間が曲がり流路５０の渦巻状に形成された部分となる。曲がり流路５０は、その中の循環水の流れが乱流領域になるような、形状および大きさを有している。
【００７７】
吸い込み管２１０、仕切り板２１２、および蓋体２１４の材質は、樹脂、金属等である。吸い込み管２１０、仕切り板２１２、および蓋体２１４の材質は、蓋体２１４の外表面と内を通る循環水との間で熱交換が起こりやすい材質、厚さであることが望ましい。これにより、蓋体２１４の外表面と内を通る循環水との間の熱交換によって、曲がり流路５０を通る循環水の温度を均一化することができる。
【００７８】
なお、図示はしないが、曲がり流路５０は、樹脂または金属からなるチューブをリザーバータンク１０の内底面に渦巻き状に設置したものであってもよい。
【００７９】
次に、第２実施形態に係る流体循環装置の動作について説明する。
【００８０】
送水ポンプ２０が作動すると、吸い込み口２１６からリザーバータンク１０内の循環水が吸い込まれる。
【００８１】
吸い込み口２１６から吸い込まれた循環水は、曲がり流路５０内が乱流であることにより攪拌される。また、曲がり流路５０内の循環水は、曲がり流路５０を構成している仕切り板２１２、蓋体２１４等の近傍のせん断流れによっても攪拌される。さらに、曲がり流路５０内の循環水には、曲がり流路５０の渦巻状の曲がりによって遠心力による二次流れが発生する。これによっても、曲がり流路５０内の循環水は攪拌される。
【００８２】
このように、曲がり流路５０内において循環水が、乱流、せん断流れ、二次流れにより攪拌されるため、例えば、仮に温度が急激に変化した循環水がリザーバータンク１０に戻った場合に、温度が急激に変化した循環水が曲がり流路５０に導入されても、循環水の流れの方向に温度の均一化を進めることができる。
【００８３】
さらに、曲がり流路５０は、リザーバータンク１０内に配置されている。そのため、蓋体２１４の外表面と曲がり流路５０内の循環水との間で熱交換が起こり、曲がり流路５０内の循環水の温度をより均一化することができる。
【００８４】
また、吸い込み口２１６は、円筒形のリザーバータンク１０の動径方向に沿って配置されているため、リザーバータンク１０内の循環水に一様な流れを作り出すことができ、リザーバータンク１０内の循環水を攪拌することができる。
【００８５】
曲がり流路５０内を通過した循環水は、リザーバータンク１０の供給口１２から、送水ポンプ２０を介して、温度調整部３０（熱交換器３２）に送られる。循環水は、熱交換器３２によって所望の温度に冷却される。
【００８６】
ここで、温度調整部３０に供給される循環水は、上述のように、曲がり流路５０によって温度が均一化される。そのため、温度が急激に変化した循環水が曲がり流路５０内に吸い込まれた場合でも、送水ポンプ２０を介して温度調整部３０に供給される循環水の温度を均一化することができる。
【００８７】
温度調整部３０（熱交換器３２）で所望の温度に冷却された循環水は、荷電粒子線装置１０００の熱負荷１０１０，１０２０に送られる。熱負荷１０１０，１０２０を通り温められた循環水（リターン水）はリザーバータンク１０に戻る。このように第２実施形態に係る流体循環装置では、循環水を循環させることによって、熱負荷１０１０，１０２０を
冷却している。
【００８８】
第２実施形態に係る流体循環装置は、例えば、以下の特徴を有する。
【００８９】
第２実施形態に係る流体循環装置では、第１実施形態に係る流体循環装置１００と同様に、リザーバータンク１０内に曲がり流路５０が設けられているため、温度調整部３０に供給される循環水の温度の急激な変化を減少させることができ、温度調整部３０による水温制御に対する外乱要因を抑制し、循環水の温度安定度を高めることができる。
【００９０】
さらに、第２実施形態に係る流体循環装置では、曲がり流路５０は、少なくとも一部が渦巻状に設けられている。これにより、曲がり流路５０内において、循環水を二次流れにより攪拌することができ、循環水の温度を均一化することができる。
【００９１】
また、第２実施形態に係る流体循環装置では、曲がり流路５０は、渦巻き状の仕切り板２１２と、仕切り板２１２上に配置された蓋体２１４と、を含んで構成されている。このように第２実施形態に係る流体循環装置は、曲がり流路５０を簡易な構成で実現することができる。
【００９２】
３．  第３実施形態
次に、第３実施形態に係る流体循環装置について、図面を参照しながら説明する。第３実施形態に係る流体循環装置の構成を示す図は、図１に示す流体循環装置１００の構成を示す図と同様でありその図示を省略する。ただし、第３実施形態に係る流体循環装置では、曲がり流路５０の構成が、第１実施形態に係る流体循環装置１００と異なる。
【００９３】
以下、第３実施形態に係る流体循環装置において、第１実施形態に係る流体循環装置１００と異なる点について説明し、同様の点については説明を省略する。
【００９４】
図６は、第３実施形態に係る流体循環装置のリザーバータンク１０を模式的に示す断面図である。図７は、リザーバータンク１０を模式的に示す図である。なお、図６は、図７のＶＩ−ＶＩ線断面図である。
【００９５】
曲がり流路５０は、図６および図７に示すように、複数の曲がり管３００と、混合器３１０と、を含んで構成されている。
【００９６】
曲がり管３００は、一端（開放端）３０６がリザーバータンク１０内に開放されている。曲がり管３００の開放端３０６が曲がり流路５０の入口となる。また、曲がり管３００の他端３０８は混合器３１０に接続されている。曲がり管３００は、図示の例では、１つの曲がり部３０２と、１つの直線部３０４と、で構成されている。
【００９７】
なお、図示はしないが、曲がり管３００は、曲がり部３０２が複数設けられていてもよい。また、曲がり管３００は、螺旋状に設けられていてもよいし、渦巻状に設けられていてもよい。
【００９８】
曲がり管３００の開放端３０６は、円筒形のリザーバータンク１０の動径方向に沿って配置されている。これにより、リザーバータンク１０内の循環水に一様な流れを作り出すことができ、リザーバータンク１０内の循環水を攪拌することができる。曲がり管３００の開放端３０６は、平面視で円筒形のリザーバータンク１０の中心よりも内壁面１４側に配置されている。曲がり管３００の開放端５４は、リザーバータンク１０の内壁面１４の近傍に配置されることが望ましい。これにより、リザーバータンク１０内の循環水により強い流れを作り出すことができ、リザーバータンク１０内の循環水をより攪拌することが
できる。
【００９９】
曲がり管３００の材質は、例えば、樹脂、金属等である。曲がり管３００は、曲がり管３００の外表面と内を通る循環水との間で熱交換が起こりやすい材質、厚さであることが望ましい。これにより、曲がり管３００の外表面と内を通る循環水との間の熱交換によって循環水の温度を均一化することができる。
【０１００】
曲がり管３００の内径は、その中の循環水の流れが乱流領域になる大きさである。曲がり管３００の内径は、例えば、レイノルズ数が３０００以上となるような大きさに設定される。これにより、曲がり管３００の中の循環水の流れを、乱流領域にすることができる。
【０１０１】
複数の曲がり管３００は、図６に示すように、平面視でリザーバータンク１０の中心に関して、回転対称な位置関係に配置されている。図示の例では、４つの曲がり管３００が、平面視で、４回対称の位置関係にある。言い換えると、平面視で、１つの曲がり管３００をリザーバータンク１０の中心まわりに９０°（（３６０／ｎ）°、ｎ＝４）ずつ回転させるとその他の各曲がり管３００に重なる。４つの曲がり管３００からなる構造体の平面形状は、４回対称である。
【０１０２】
なお、曲がり管３００の数は、２つ以上であれば特に限定されない。
【０１０３】
混合器３１０は、円筒状の容器である。混合器３１０は、リザーバータンク１０の内底面に配置されている。混合器３１０には、複数の曲がり管３００の他端３０８（開放端３０６と反対側の端）が接続されている。混合器３１０内は、複数の曲がり管３００を介してのみ、リザーバータンク１０内と連通している。曲がり管３００の他端３０８は、当該他端３０８から放出された循環水が混合器３１０内において混合器３１０の内壁面１４に沿って進むように配置されている。図示の例では、曲がり管３００の他端３０８は、混合器３１０の中心を向かないように配置されている。
【０１０４】
混合器３１０は、リザーバータンク１０の供給口１２に接続されている。すなわち、混合器３１０が曲がり流路５０の出口を構成している。
【０１０５】
混合器３１０の材質は、例えば、樹脂、金属等である。混合器３１０は、混合器３１０の外表面と内を通る循環水との間で熱交換が起こりやすい材質、厚さであることが望ましい。これにより、混合器３１０の外表面と内を通る循環水との間の熱交換によって、循環水の温度を均一化することができる。
【０１０６】
次に、第３実施形態に係る流体循環装置の動作について説明する。
【０１０７】
送水ポンプ２０が作動すると、それぞれの曲がり管３００の開放端３０６からリザーバータンク１０内の循環水が吸い込まれる。
【０１０８】
複数の曲がり管３００の開放端３０６から吸い込まれた循環水は、曲がり管３００内が乱流であることにより攪拌される。また、曲がり管３００内の循環水は、曲がり管３００の内壁面近傍のせん断流れによっても攪拌される。さらに、曲がり管３００内の循環水には、曲がり管３００の曲がりによって遠心力による二次流れが発生する。これによっても、循環水は攪拌される。
【０１０９】
各曲がり管３００から吸い込まれた循環水は、混合器３１０内で混合され、攪拌される。そして、リザーバータンク１０の供給口１２から戻水流路４に送られる。
【０１１０】
このように、循環水は、各曲がり管３００内において、乱流、せん断流れ、二次流れにより攪拌され、混合器３１０内において混合され攪拌されることにより、例えば、仮にリザーバータンク１０内に温度が急激に変化した循環水がリザーバータンク１０に戻った場合に、温度が急激に変化した循環水が曲がり管３００に吸い込まれても、循環水の流れの方向に温度の均一化を進めることができる。また、曲がり管３００が４箇所に設けられているため、この温度が急激に変化した循環水が４箇所同時に吸い込まれる確率は小さく、曲がり管３００が１つの場合と比べて、供給口１２から供給される循環水の温度を均一化することができる。
【０１１１】
さらに、曲がり管３００および混合器３１０は、リザーバータンク１０内に配置されている。そのため、曲がり管３００および混合器３１０の外表面と曲がり管３００内の循環水との間で熱交換が起こり、曲がり管３００内の循環水の温度をより均一化することができる。
【０１１２】
また、曲がり管３００の開放端３０６は、円筒形のリザーバータンク１０の動径方向に沿って配置されているため、リザーバータンク１０内の循環水にリザーバータンク１０の内壁面１４に沿った一様な流れを作り出すことができ、リザーバータンク１０内の循環水を攪拌することができる。
【０１１３】
複数の曲がり管３００および混合器３１０を通過した循環水は、リザーバータンク１０の供給口１２から送水ポンプ２０を介して、温度調整部３０（熱交換器３２）に送られる。循環水は、熱交換器３２によって所望の温度に冷却される。
【０１１４】
ここで、温度調整部３０に供給される循環水は、上述のように、曲がり流路５０によって温度が均一化される。そのため、温度が急激に変化した循環水が曲がり流路５０内に吸い込まれた場合でも、送水ポンプ２０を介して温度調整部３０に供給される循環の温度を、均一化することができる。
【０１１５】
温度調整部３０（熱交換器３２）で所望の温度に冷却された循環水は、荷電粒子線装置１０００の熱負荷１０１０，１０２０に送られる。熱負荷１０１０，１０２０を通り温められた循環水（リターン水）はリザーバータンク１０に戻る。このように第３実施形態に係る流体循環装置では、循環水を循環させることによって、熱負荷１０１０，１０２０を冷却している。
【０１１６】
第３実施形態に係る流体循環装置は、例えば、以下の特徴を有する。
【０１１７】
第３実施形態に係る流体循環装置では、第１実施形態に係る流体循環装置１００と同様に、リザーバータンク１０内に曲がり流路５０が設けられているため、温度調整部３０に供給される循環水の温度の急激な変化を減少させることができ、温度調整部３０による水温制御に対する外乱要因を抑制し、循環水の温度安定度を高めることができる。
【０１１８】
さらに、第３実施形態に係る流体循環装置では、曲がり流路５０は、一端３０６がリザーバータンク１０内に開放された複数の曲がり管３００と、複数の曲がり管３００の他端３０８が接続された混合器３１０と、を含んで構成され、混合器３１０は、リザーバータンク１０の供給口１２に接続されている。このように、曲がり流路５０では、複数の曲がり管３００から吸い込んだ循環水を混合器３１０で混合して供給口１２から供給することができるため、例えば温度が急激に変化した循環水がリザーバータンク１０に戻ったとしても、曲がり管３００が１つの場合と比べて、温度調整部３０に供給される循環水の温度を均一化することができる。
【０１１９】
第３実施形態に係る流体循環装置では、複数の曲がり管３００は、平面視で回転対称な位置関係に配置されている。そのため、例えば、リザーバータンク１０内の循環水にリザーバータンク１０の内壁面１４に沿った一様な流れを容易につくることができる。
【０１２０】
なお、本発明は上述した実施形態に限定されず、本発明の要旨の範囲内で種々の変形実施が可能である。
【０１２１】
例えば、上述した第１〜第３実施形態では、本発明に係る流体循環装置が組み込まれる荷電粒子線装置として電子顕微鏡を挙げて説明したが、本発明に係る流体循環装置は熱負荷を有するその他の荷電粒子線装置にも適用できる。このような荷電粒子線装置としては、例えば、荷電粒子ビーム描画装置などが挙げられる。
【０１２２】
また、上述した第１〜第３実施形態では、本発明に係る流体循環装置が水を循環させる例について説明したが、本発明に係る流体循環装置では、水以外の液体、気体等の流体を循環させてもよい。
【０１２３】
また、上述した第１〜第３実施形態では、本発明に係る流体循環装置は熱交換器で循環水を冷却する例について説明したが、本発明に係る流体循環装置では流体をヒーター等で所望の温度に加熱してもよい。このような流体循環装置は、例えば、熱負荷に室温以上の流体を提供する場合に用いることができる。
【０１２４】
なお、上述した実施形態及び変形例は一例であって、これらに限定されるわけではない。例えば各実施形態及び各変形例は、適宜組み合わせることが可能である。
【０１２５】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１２６】
２…送水流路、４…戻水流路、１０…リザーバータンク（流体収容容器）、１２…供給口、１４…内壁面、２０…送水ポンプ、３０…温度調整部、３１…循環流路、３２…熱交換器、３３…電子膨張弁、３４…冷却器、４０…温度センサー、５０…流路、５２…チューブ、５４…一端、５６…他端、１００…流体循環装置、２１０…吸い込み管、２１２…仕切り板、２１４…蓋体、２１６…吸い込み口、３００…曲がり管、３０２…曲がり部、３０４…直線部、３０６…一端、３０８…他端、３１０…混合器、１０００…荷電粒子線装置、１００２，１００４…流路、１０１０，１０２０…熱負荷
【図１】
0006266471.tif 000002
【図２】
0006266471.tif 000003
【図３】
0006266471.tif 000004
【図４】
0006266471.tif 000005
【図５】
0006266471.tif 000006
【図６】
0006266471.tif 000007
【図７】
0006266471.tif 000008